(57)【要約】      （修正有）【課題】電子保守文書中のデータ集約を行い、保守タスクの調査効率を上げる。【解決手段】製造された製品に関する第１データを含む、製造された製品のための第１電子文書を受信することを含む方法は、第１電子文書から第１データを抽出することと、第１データ及び第２データを含む集約済データを生成するために、抽出された第１データと製造された製品に関する第２データとを相関させることと、集約済データを、クエリ可能なストレージ内に保存することと、を含む。【選択図】図７Ａ
2017208069.tif 000002
【特許請求の範囲】
【請求項１】
プロセッサ（８０２）と、実行可能指令を保存しているメモリ（８０４）とを備える装置であって、前記実行可能指令が、前記プロセッサ（８０２）による実行に応じて、前記装置に、少なくとも、
製造された製品に関する第１データを含む、前記製造された製品のための第１電子文書を受信すること（７０２）と、
前記第１電子文書から前記第１データを抽出すること（７０４）と、
前記第１データ及び第２データを含む集約済データを生成するために、上記のように抽出された前記第１データと前記製造された製品に関する前記第２データとを相関させること（７０６）と、
前記集約済データを、ストレージであって、そこから前記集約済データがクエリ可能なストレージ内に保存すること（７０８）とを、実行させる、装置。
【請求項２】
前記メモリ（８０４）は、更なる実行可能指令を保存し、前記更なる実行可能指令は、前記プロセッサ（８０２）による実行に応答して、前記装置に、少なくとも、
前記第２データを含む、前記製造された製品のための第２電子文書を受信することと、
前記第２電子文書から前記第２データを抽出することとを、更に実行させ、
前記第１データと前記第２データとが相関される前に、前記第２電子文書は受信され、かつ前記第２データは抽出される、請求項１に記載の装置。
【請求項３】
前記メモリ（８０４）は、更なる実行可能指令を保存し、前記更なる実行可能指令は、前記プロセッサによる実行に応答して、前記装置に、少なくとも、
前記製造された製品に関する第３データを含む、前記製造された製品のための第３電子文書を受信することと、
前記第３電子文書から前記第３データを抽出することと、
前記集約済データ及び前記第３データを含む更なる集約済データを生成するために、前記集約済データと上記のように抽出された前記第３データとを相関させることと、
前記更なる集約済データを、前記ストレージであって、そこから前記更なる集約済データがクエリ可能な前記ストレージ内に保存することとを、更に実行させる、請求項１又は２に記載の装置。
【請求項４】
前記装置に、前記第１データと前記第２データとを相関させることを実行させることは、前記第１データのアイテムと前記第２データのアイテムとを相関させることを実行させることを含み、
前記装置に、前記集約済データと前記第３データとを相関させることを実行させることは、前記第１データのアイテムと前記第３データのアイテムとを相関させ、それにより、前記第２データのアイテムと前記第３データのアイテムとを相関させることを、実行させることを含み、前記第３データのアイテムは、そのようにしなければ、前記第２データのアイテムと相関不能である、請求項３に記載の装置。
【請求項５】
前記第１データ及び前記第２データはマークアップ言語形式であり、前記第１データのアイテム及び前記第２データのアイテムは、前記マークアップ言語形式のタグによってカプセル化され、
前記装置に、前記第１データと前記第２データとを相関させることを実行させることは、少なくとも部分的に前記タグに基づいて、前記第１データのアイテムと前記第２データのアイテムとを相関させることを実行させることを含む、請求項１から４のいずれか一項に記載の装置。
【請求項６】
前記第１データはマークアップ言語形式であり、前記装置に、前記第１データと前記第２データとを相関させることを実行させることは、前記マークアップ言語形式とは無関係に、前記第１データのアイテム、及びそれらと前記第２データのアイテムとの関係を認識することを実行させることを含む、請求項１から５のいずれか一項に記載の装置。
【請求項７】
前記メモリ（８０４）は、更なる実行可能指令を保存し、前記更なる実行可能指令は、前記プロセッサ（８０２）による実行に応答して、前記装置に、少なくとも、
検索クエリを受信すること（７１０）と、
第１データのアイテム及び相関した第２データのアイテムを読み出すことを含む、前記集約済データに前記検索クエリを実行すること（７１２）と、
前記第１データのアイテム及び相関した前記第２データのアイテムを含む、前記検索クエリに対する応答を生成すること（７１４）とを、更に実行させる、請求項１から６のいずれか一項に記載の装置。
【請求項８】
前記第１電子保守文書は、前記製造された製品の部品に対する又は前記部品を使用する保守タスクについての説明を含む第１データを有する、タスクカードマニュアルであり、前記第２電子保守文書は、前記製造された製品の前記部品についての説明を含む第２データを有する、図解部品カタログであり、
前記メモリ（８０４）は更なる実行可能指令を保存し、前記更なる実行可能指令が、前記プロセッサによる実行に応じて、前記装置に、少なくとも、
前記タスクカードマニュアルからタスクカードを求める、検索クエリを受信すること（７１０）と、
前記第１データの前記タスクカードの適用対象である保守タスクについての説明と、前記第２データの前記保守タスクのための部品リストとを読み出すことを含む、前記集約済データに前記検索クエリを実行すること（７１２）と、
前記保守タスクについての前記説明と、前記保守タスクのための前記部品リストとを含む、前記検索クエリに対する応答を生成すること（７１４）とを、更に実行させる、請求項１から６のいずれか一項に記載の装置。
【請求項９】
製造された製品に関する第１データを含む、前記製造された製品のための第１電子文書を受信すること（７０２）と、
前記第１電子文書から前記第１データを抽出すること（７０４）と、
前記第１データ及び第２データを含む集約済データを生成するために、上記のように抽出された前記第１データと前記製造された製品に関する前記第２データとを相関させること（７０６）と、
前記集約済データを、ストレージであって、そこから前記集約済データがクエリ可能なストレージ内に保存すること（７０８）とを含む、方法。
【請求項１０】
非一過性であり、かつ、コンピュータ可読プログラムコード部分が保存されている、コンピュータ可読記憶媒体であって、前記コンピュータ可読プログラムコード部分が、プロセッサ（８０２）による実行に応じて、装置に、少なくとも
製造された製品に関する第１データを含む、前記製造された製品のための第１電子文書を受信すること（７０２）と、
前記第１電子文書から前記第１データを抽出すること（７０４）と、
前記第１データ及び第２データを含む集約済データを生成するために、上記のように抽出された前記第１データと前記製造された製品に関する前記第２データとを相関させること（７０６）と、
前記集約済データを、ストレージであって、そこから前記集約済データがクエリ可能なストレージ内に保存すること（７０８）とを、実行させる、コンピュータ可読記憶媒体。
【発明の詳細な説明】
【背景技術】
【０００１】
本開示は概して、製造された製品の保守に関し、詳細には、航空機などの製造された製品のための保守データの抽出、集約、及びクエリ（ｑｕｅｒｙ）に関する。
【０００２】
構造物、特に航空機及びその他のビークルなどの複雑な構造物の相手先商標製造業者（ｏｒｉｇｉｎａｌ  ｅｑｕｉｐｍｅｎｔ  ｍａｎｕｆａｃｔｕｒｅｒ：ＯＥＭ）は、顧客が自社製品を安全かつ効率的に保守し、操作するのを支援するために、複数の文書及びデータソースを顧客に提供する。航空機に関して言うと、ＯＥＭは、保守文書、操作文書、工学図表、技術図面、配線表などを含む、多数の電子文書を自社の航空会社顧客に提供しうる。これらの文書の各々は、構造物の特定のシステム、サブシステム、又は部品についての情報を提供しうるか、又は、特定の種類の保守作業（例えば電気配線問題の補修）に対処しうる。これらの文書は全て、タスクを遂行すること、知識を得ること、何らかのシステムを用いて問題のトラブルシューティングを支援すること等のために、保守担当者などのユーザが情報を探し出すことができるように書かれている。
【０００３】
保守担当者は何度も、複数の文書又は一文書内の複数の場所から同種の情報を検索し、抽出することが必要になる。例えば、航空会社が自社航空機のうちの１つについて保守チェックを実施する前に、この保守チェック中に遂行されうる全ての保守タスクが効率的に遅延なく実現されうるように、この保守チェックに必要になりうる全ての材料（部品や消耗材など）を予測し、購入し、入手可能にしておくことは、有用である。これにより多くの場合、多大なる、保守タスクについての時間のかかる調査、及び、保守タスクを遂行するためにはどの部品を要しうるかの解明が、必要になる。この調査は、ユーザにとって時間がかかるというだけでなく、複数の文書を隅から隅まで検索するための多大な計算資源も要する。
【発明の概要】
【０００４】
本開示の例示的な実行形態は、保守データの抽出、集約、及びクエリのための、改良型の装置、方法、及びコンピュータ可読記憶媒体を対象とする。例示的な実行形態は、複数の電子保守文書からデータをコンパイルして、その結果得られる集約済データを人がクエリし、複数の文書又は一文書内の複数の場所に配置されていることがある情報を見つけることを可能にする。これにより、ユーザが保守タスクを調査するのに要する時間が低減しうるだけでなく、複数の電子文書のデータを隅から隅まで検索するのに必要な計算資源も低減しうる。
【０００５】
ゆえに本開示は、下記の例示的な実行形態を含むが、それらに限定されるわけではない。いくつかの例示的な実行形態では、製造された製品に関する第１データを含む、製造された製品のための第１電子文書（例えば第１電子保守文書）を受信することと、第１電子文書から第１データを抽出することと、第１データ及び第２データを含む集約済データを生成するために、上記のように抽出された第１データと製造された製品に関する第２データとを相関させることと、集約済データを、ストレージであって、そこから集約済データがクエリ可能なストレージ内に保存することとを含む、方法が提供される。
【０００６】
前述の方法のいくつかの例示的な実行形態、又は後述のあらゆる例示的な実行形態、或いはそれらの任意の組み合わせにおいて、方法は、第２データを含む、製造された製品のための第２電子文書（例えば第２電子保守文書）を受信することと、第２電子文書から第２データを抽出することとを更に含み、第１データと第２データとが相関される前に、第２電子文書は受信され、かつ第２データは抽出される。
【０００７】
あらゆる前述の方法のいくつかの例示的な実行形態、又は後述のあらゆる例示的な実行形態、或いはそれらの任意の組み合わせにおいて、方法は、製造された製品に関する第３データを含む、製造された製品のための第３電子文書（例えば第３電子保守文書）を受信することと、第３電子文書から第３データを抽出することと、集約済データ及び第３データを含む更なる集約済データを生成するために、集約済データと上記のように抽出された第３データとを相関させることと、更なる集約済データを、ストレージであって、そこから更なる集約済データがクエリ可能なストレージ内に保存することとを、更に含む。
【０００８】
あらゆる前述の方法のいくつかの例示的な実行形態、又は後述のあらゆる例示的な実行形態、或いはそれらの任意の組み合わせにおいて、第１データと第２データとを相関させることは、第１データのアイテムと第２データのアイテムとを相関させることを含み、集約済データと第３データとを相関させることは、第１データのアイテムと第３データのアイテムとを相関させ、それにより、第２データのアイテムと第３データのアイテムとを相関させることを含み、第３データのアイテムは、そのようにしなければ、第２データのアイテムと相関不能である。
【０００９】
あらゆる前述の方法のいくつかの例示的な実行形態、又は後述のあらゆる例示的な実行形態、或いはそれらの任意の組み合わせにおいて、第１データ及び第２データはマークアップ言語形式であり、第１データのアイテム及び第２データのアイテムは、マークアップ言語形式のタグによってカプセル化され、第１データと第２データとを相関させることは、少なくとも部分的にタグに基づいて、第１データのアイテムと第２データのアイテムとを相関させることを含む。
【００１０】
あらゆる前述の方法のいくつかの例示的な実行形態、又は後述のあらゆる例示的な実行形態、或いはそれらの任意の組み合わせにおいて、第１データはマークアップ言語形式であり、第１データと第２データとを相関させることは、マークアップ言語形式とは無関係に、第１データのアイテム、及びそれらと第２データのアイテムとの関係を、認識することを含む。
【００１１】
あらゆる前述の方法のいくつかの例示的な実行形態、又は後述のあらゆる例示的な実行形態、或いはそれらの任意の組み合わせにおいて、方法は、検索クエリを受信することと、第１データのアイテム及び相関した第２データのアイテムを読み出すことを含む、集約済データに検索クエリを実行することと、第１データのアイテム及び相関した第２データのアイテムを含む、検索クエリに対する応答を生成することとを更に含む。
【００１２】
あらゆる前述の方法のいくつかの例示的な実行形態、又は後述のあらゆる例示的な実行形態、或いはそれらの任意の組み合わせにおいて、第１電子文書は、製造された製品の部品に対する又はかかる部品を使用するタスクについての説明を含む第１データを有する、タスクカードマニュアルであり、第２電子文書は、製造された製品の部品についての説明を含む第２データを有する、図解部品カタログであり、方法は、タスクカードマニュアルからタスクカードを求める、検索クエリを受信することと、第１データのタスクカードの適用対象である保守タスクについての説明と、第２データの保守タスクのための部品リストとを読み出すことを含む、集約済データに検索クエリを実行することと、保守タスクについての説明と、保守タスクのための部品リストとを含む、検索クエリに対する応答を生成することとを更に含む。
【００１３】
いくつかの例示的な実行形態では、プロセッサと、実行可能指令を保存しているメモリであって、この実行可能指令が、プロセッサによる実行に応じて、装置に、少なくとも、あらゆる前述の例示的な実行形態、又はそれらの任意の組み合わせの方法を実施させる、メモリとを備える装置が、提供される。この装置は、方法のステップを実施するよう構成された、統合型のデータ抽出・集約・クエリシステムの実行形態を含みうる。
【００１４】
いくつかの例示的な実行形態では、コンピュータ可読記憶媒体が提供される。コンピュータ可読記憶媒体は、非一時的であり、かつ、コンピュータ可読プログラムコード部分が保存されており、このコンピュータ可読プログラムコード部分は、プロセッサによる実行に応答して、装置に、少なくとも、あらゆる前述の例示的な実行形態、又はそれらの任意の組み合わせの方法を実施させる。
【００１５】
本開示の上記の特徴、態様、及び利点、及びその他の特徴、態様、及び利点は、下記の詳細説明と共に、簡潔に後述する添付図面を参照することで明らかになろう。本開示は、本書に記載の特定の例示的な実行形態において、この開示内に明記する２つ、３つ、４つ、又はもっと多くの特徴又は要素が明示的に組み合わされているか、若しくは列挙されているか否かにかかわらず、かかる特徴又は要素の任意の組み合わせを含む。この開示は、本開示のいかなる分離可能な特徴又は要素も、その態様及び例示的な実行形態のいずれにおいても、本開示の文脈がそうでないことを明確に指示していない限り組合せ可能であることが意図されている、つまり組合せ可能であると、見なされるように、全体論的に読まれるためのものである。
【００１６】
したがって、この「発明の概要」は、本開示のいくつかの態様の基本的な理解を提供するために、いくつかの例示的な実行形態を要約することだけを目的に提供されていることが、理解されよう。したがって、上述の例示的な実行形態は単なる例であり、いかなる意味においても、本開示の範囲又は本質を狭めると解釈すべきではないことが、理解されよう。その他の例示的な実行形態、態様、及び利点は、添付図面と併せて下記の詳細説明を参照することで明らかになろう。添付図面は、例を用いて、記載されているいくつかの例示的な実行形態の原理を示すものである。
【００１７】
上記のように本開示の例示的な実行形態を一般的な用語で説明したが、これより添付図面を参照する。これらの図面は必ずしも正確な縮尺で描かれているわけではない。
【図面の簡単な説明】
【００１８】
【図１】本開示の様々な例示的な実行形態による統合型のデータ抽出・集約・クエリシステムを示す。
【図２Ａ】様々な例示的な実行形態によるデータ収集サブシステムを示す。
【図２Ｂ】様々な例示的な実行形態によるデータ収集サブシステムを示す。
【図３Ａ】様々な例示的な実行形態による、タスクカードマニュアル（ＴＣＭ）のタスクカードの一部分を示す。
【図３Ｂ】様々な例示的な実行形態による、図３Ａに対応するスタンダードジェネラライズドマークアップ言語（ＳＧＭＬ）でマーキングされたデータを示す。
【図４Ａ】様々な例示的な実行形態による、航空機図解部品カタログのあるページの一部分を示す。
【図４Ｂ】様々な例示的な実行形態による、図４Ａに対応するＳＧＭＬでマーキングされたデータを示す。
【図５】様々な例示的な実行形態による、クエリサブシステムによって提供されうるグラフィカルユーザインターフェース（ＧＵＩ）を示す。
【図６】様々な例示的な実行形態による、クエリサブシステムによって提供されうるグラフィカルユーザインターフェース（ＧＵＩ）を示す。
【図７Ａ】様々な例示的な実行形態による方法における様々なステップを示すフロー図である。
【図７Ｂ】様々な例示的な実行形態による方法における様々なステップを示すフロー図である。
【図８】いくつかの例示的な実行形態による装置を示す。
【発明を実施するための形態】
【００１９】
本開示のいくつかの実行形態を、添付図面を参照してこれより下記で一層網羅的に説明するが、添付図面には、本開示の実行形態の全てではなく一部しか示されていない。実際のところ、本開示の様々な実行形態は、多くの異なる形態で具現化されてよく、本書に明記されている実行形態に限定されると解釈すべきではない。むしろ、これらの例示的な実行形態は、本開示が包括的かつ完全なものになるように、かつ、当業者に本開示の範囲が十分に伝わるように、提供されている。例えば、別途記載されない限り、何かが「第１の」、「第２の」等のものであるという表現は、特定の順番を暗示していると解釈すべきではない。同様に、本書では例えば、定量的な尺度、値、関係など（例えば平面、共平面、垂直）への言及が行われうる。別途明記されない限り、これらの全てではないがそのうちの一又は複数はいずれも、絶対的又は近似的に、工学上の公差などによるものといった、発生しうる許容可能な変動の原因となりうる。類似の参照番号は、全体を通して類似の要素を表す。
【００２０】
本開示の例示的な実行形態は概して、製造された製品（構造物）の保守に関する。より詳細には、様々な例示的な実行形態は、製造された製品のための保守データの抽出、集約、及びクエリに関する。例示的な実行形態は、主として航空宇宙分野の応用に関連付けて説明され、かかる応用においては、製造された製品とは航空機である。しかし、例示的な実行形態は、航空宇宙産業とそれ以外の両方における他の多種多様な応用に関連して利用されうることを、理解すべきである。製造された製品の他の適切な例は、宇宙船、船舶、自動車両、鉄道車両などといった、いくつかの異なる種類のビークルのうちの任意のものを含む。更に、別段の定めのない限り、「データ」、「コンテンツ」、「情報」という用語及び類似の用語は、時に置換可能に使用されうることを理解すべきである。
【００２１】
図１は、本開示のいくつかの例示的な実行形態による、製造された製品の保守のための、統合型のデータ抽出・集約・クエリシステム１００を示している。統合型のデータ抽出・集約・クエリシステムは、統合型のデータ抽出・集約・クエリシステムの一又は複数の機能又は動作を実施するための、いくつかの異なるサブシステム（各々が個別のシステムである）のうちの任意のものの各々の一又は複数を含みうる。図示しているように、例えば、システムは、ストレージ１０６に連結されたデータ収集サブシステム及びクエリサブシステム１０２、１０４を含みうる。システムの部分として一緒に図示されているものの、サブシステムとストレージのいずれも、他方とは関係なく分離したシステムとして機能又は動作しうる。またさらに、システムは、図１に示すもの以外に一又は複数の追加の又は代替的なサブシステムを含みうることを、理解すべきである。
【００２２】
本開示の例示的な実行形態により、製造された製品のための保守データは、電子文書やデータベースなどを含むいくつかの異なるソースから提供されうる。本書に記載しているように、電子文書（又は単なる文書）は、電子的形態及び／或いは印刷された（又は印刷可能な）形態で可視化されることが可能な、任意の電子メディアコンテンツでありうる。文書は一又は複数の構成文書コンポーネントで構成されてよく、構成文書コンポーネントは、そのメディアコンテンツの、例えば基本的な区切り点（ｂｒｅａｋｉｎｇ  ｐｏｉｎｔｓ）の間の、グルーピングでありうる。この文書コンポーネントは文書の種類によって決まることがあり、たとえば、電子ページ、スライド、図表、図面、静止画像、動画などを含みうる。文書コンポーネントは、時に概括的に「ページ」と称されうる。ただし、文書コンポーネントは、他の種類のコンポーネントを含みうることから、必ずしも電子ページである必要はない。文書がコンポーネントを一つだけ含む事例では、文書とそのコンポーネントとは同一のものでありうる。
【００２３】
文書の各ページはデータで形成されてよく、このデータから、データ（というよりはそのメディアコンテンツ）の画像などの視覚表示が、電子的な及び／或いは印刷された（又は印刷可能な）形式で生成されうる。いくつかの例では、電子文書、そしてそのページは、タグによってカプセル化されたデータを含む、マークアップ言語形式でありうる。適切なマークアップ言語の一例は、スタンダードジェネラライズドマークアップ言語（ＳＧＭＬ）である。適切なマークアップ言語の他の例は、スクライブ（Ｓｃｒｉｂｅ）、ジェネラライズドマークアップ言語（ＧＭＬ）、ハイパーテキストマークアップ言語（ＨＴＭＬ）、拡張可能マークアップ言語（ＸＭＬ）、拡張可能ＨＴＭＬ（ＸＨＴＭＬ）などを含む。
【００２４】
様々な例において、一又は複数のデータソースは、概括的に、一又は複数の部分で構成されてよく、各部分がサブシステム、アセンブリ、構成要素などの一又は複数のシステムで構成されうる航空機などの、製造された製品、或いは他の複雑系のためのものでありうる。つまり、製造された製品の構成要素は、組み立てられていくつかのアセンブリになり、そしてこれらのアセンブリが組み立てられて、製造された製品のいくつかのサブシステムになりうる。サブシステムは組み立てられてシステムになり、システムは、組み立てられるか、そうでなければグループ化されて、製造された製品の部分となりうる。航空機に関して言うと、一又は複数の構成要素、アセンブリ、サブシステム、又はシステムは、ラインで交換可能なユニット（ｌｉｎｅ−ｒｅｐｌａｃｅａｂｌｅ  ｕｎｉｔ：ＬＲＵ）と称されることが多い航空機のモジュール構成要素として設計されてよく、かかる状況では、単一の航空機が、いくつかのＬＲＵ及び他の構成要素、アセンブリ、サブシステム、又はシステムを含みうる。製造された製品自体、又はその部分、システム、サブシステム、アセンブリ、構成要素などのいずれも、時に概括的に、製造された製品の「部品」と称されうる。
【００２５】
製造された製品に関するデータソースは、本書では概括的に「データソース」と称されうるか、又は、いくつかの例ではより詳細に、「保守データのソース」と称されうる。同様に、製造された製品に関するデータを含む文書は、本書では概括的に「文書」と称されうるか、又は、いくつかの例ではより詳細に、「保守文書」と称されうる。製造された製品に関するデータは、例えば、保守データ、操作データ、工学図表、技術図面、配線表などを含みうる（いずれも概括的に「保守データのソース」と称される）。保守データのソースは、製造された製品を説明しているデータで構成されうるか、そうでなければ、かかるデータを含みうる。製造された製品に応じて、このデータは、製品レベル、部分レベル、システムレベル、サブシステムレベル、アセンブリレベル、又は構成要素レベルといったいくつかの異なるレベルのうちの任意のレベルで、製造された製品を説明しうる。
【００２６】
製造された製品に加えて、又はそれの代わりに、保守データのソースは、製造された製品の一又は複数の部品に対する又はかかる部品を使用する、一又は複数の保守タスク又は操作タスク（いずれも概括的に「保守タスク」と称される）を説明しているデータで構成されうるか、そうでなければかかるデータを含みうる。これらのタスクは、製造された製品の部品（複数可）の動作、取り付け、保守、補修、取り外し、交換、又は試験に関する保守タスクを含みうる。一部の保守タスクは複数のサブタスクを含むことがあり、一部のサブタスクは複数の保守作業を含みうる。同じく、製造された製品に応じて、このデータは、タスクレベル、サブタスクレベル、又は保守作業レベルといったいくつかの異なるレベルのうちの任意のレベルで、保守タスクを説明しうる。
【００２７】
航空機の保守データの適切なソースの例も、工学図表、技術図面、配線図などを含む。航空機の保守データの適切なソースの他の例は、航空機図解部品カタログ（ＡＩＰＣ）、航空機飛行マニュアル（ＡＦＭ）、航空機保守マニュアル（ＡＭＭ）、航空機回収マニュアル（ＡＲＭ）、耐空性改善命令（ＡＤ）、構成要素保守マニュアル（ＣＭＭ）、構成要素保守マニュアル部品リスト（ＣＭＭＩＰＬ）、構造変更サポートデータ（ＣＣＳＤ）、航空機異常形態承認表（ＣＤＬ）、消費製品マニュアル（ＣＰＭ）、エンジン（部門）マニュアル（ＥＭ）、工学図面（ＥＤ）、機器リスト（ＥＬ）、修理持越し基準（ＤＤＧ）、エンジン洗浄・点検修理マニュアル（ＣＩＲ）、エンジン図解部品カタログ（ＥＩＰＣ）、エンジン部品構成管理セクション（ＥＰＣＭ）、障害修理マニュアル（ＦＲＭ）、障害申告・障害分離マニュアル（ＦＲＭ／ＦＩＭ）、航空機搭乗員動作マニュアル（ＦＣＯＭ）、一般保守マニュアル（ＧＭＭ）、図解ツール・設備マニュアル（ＩＴＥＭ）、稼働中動作報告（ＩＳＡＲ）、保守計画文書（ＭＰＤ）、保守審査会報告書（ＭＲＢ）、保守概要書、保守情報（ＭＴ）、保守訓練マニュアル（ＭＴＭ）、原運用許容基準（ＭＭＥＬ）、非破壊試験マニュアル（ＮＤＴ）、動力装置ぎ装マニュアル（ＰＰＢＭ）、動力装置ぎ装マニュアル図解部品リスト（ＰＰＢＭＩＰＬ）、製品管理データベース（ＰＭＤＢ）、修理記録、業務広報（ＳＢ）、業務広報インデックス（ＳＢＩ）、サービスレター（ＳＬ）、構造修理マニュアル（ＳＲＭ）、システム記述セクション（ＳＤＳ）、システム概略マニュアル（ＳＳＭ）、タスクカードマニュアル（ＴＣＭ）、ツール・設備マニュアル（ＴＥＭ）、重量・バランスマニュアル（ＷＢＭ）、配線図マニュアル（ＷＤＭ）などを含む。これらのソースは、電子文書やデータベースなどとしての様態を含むいくつかの異なる様態のうちの任意のもので、フォーマットされうる。
【００２８】
より詳細に後述するように、統合型のデータ抽出・集約・クエリシステム１００のデータ収集サブシステム１０２は、概括的に、製造された製品のための保守文書やデータベースなどのデータソースを受信するよう、かつ、これらのソースから製造された製品に関するデータを抽出し、集約するよう、構成されうる。ストレージ１０６は、概括的に、集約済データを保存するよう構成されうる。そして、クエリサブシステム１０４は、概括的に、製造された製品に関するデータを求める検索クエリを受信するよう、かつ、ストレージ内の集約済データからデータのアイテムを含む応答を生成するよう、構成されうる。
【００２９】
図２Ａ及び図２Ｂは、本開示の例示的な実行形態によるデータ収集サブシステム１０２をより詳細に示している。データ収集サブシステムは、データ収集サブシステムの一又は複数の機能又は動作を実施するための、いくつかの異なる要素のうちの任意のものの各々の一又は複数を含みうる。図示しているように、例えば、データ収集サブシステムは、データパーサ２０２、データ抽出器２０４、及び／又はデータ相関器２０６を含みうる。データ収集サブシステムの部分として一緒に図示されているものの、データパーサ、データ抽出器、又はデータ相関器のいずれも、他のものとは関係なく、分離したシステム又はサブシステムとして機能しうるか、又は動作しうる。またさらに、データ収集システムは、図２に示すもの以外に一又は複数の追加の又は代替的な要素を含みうることを、理解すべきである。
【００３０】
図２Ａは、航空機などの製造された製品のための第１と第２のデータソースに対してそれぞれ動作するよう構成された、第１と第２のデータパーサ２０２ａ、２０２ｂ、及び、第１と第２のデータ抽出器２０４ａ、２０４ｂを、特に示している。後述するように、これらのデータソースは、保守データを有する保守文書などの電子文書（第１と第２の文書）でありうる。ただし、いくつかの例では、少なくとも第２のデータソースは別の様態で（例えばデータベースとして）フォーマットされうることを、理解すべきである。同じく後述するように、データは、電子保守文書（例えば第１と第２の保守文書）内の保守データを含みうる。ただし、データは保守データである必要はなく、文書は保守文書である必要はないことを、理解すべきである。
【００３１】
いくつかの例示的な実行形態では、第１と第２の保守文書は、製造された製品に関する第１と第２のデータをそれぞれ含み、かつ、ＳＧＭＬなどのマークアップ言語形式でありうる。より詳細には、例えば、第１電子保守文書は、製造された製品の部品に対する又はかかる部品を使用する保守タスクについての説明を含む第１データを有する、タスクカードマニュアルでありうる。第２電子保守文書は、製造された製品の部品についての説明を含む第２データを有する、図解部品カタログでありうる。
【００３２】
図２Ａでは２つのデータパーサ２０２及びデータ抽出器２０４を含むよう示されているが、データ収集サブシステム１０２はもっと少ない又は多い数のデータパーサ及びデータ抽出器を含みうることを、理解すべきである。より詳細に後述するように、図２Ｂは、製造された製品に関する第３データを含む第３文書（例えば第３保守文書）のための、第３のデータパーサ２０２ｃ及びデータ抽出器２０４ｃを更に示している。データパーサ及びデータ抽出器の各々は、１を上回る数の保守データのソースに対して動作するよう構成されうることも、理解すべきである。したがって、データ収集サブシステムは、いくつかの例では、複数の保守データのソースに対して動作するよう構成された単一のデータパーサ及びデータ抽出器を含むこともある。
【００３３】
第１と第２のデータパーサ２０２ａ、２０２ｂは、第１と第２の電子保守文書をそれぞれ受信するよう構成されうる。各データパーサは、対応する保守文書を逆アセンブルして、各々が対応データを含む複数の構成ページ又は他の適切なコンポーネントにしうる。保守文書は、いくつかの異なるソースのうちの任意のものから、例えばファイルストレージ、データベースストレージ、クラウドストレージなどから、受信されうる。データパーサは、いくつかの異なる様態のうちの任意の様態で、対応する保守文書を逆アセンブルするよう構成されうる。一例では、データパーサは、その保守文書を、保守文書（例えばＴＣＭ、ＡＩＰＣ）に準じて、又は保守文書の種類（例えば工学図表、技術図面、配線図、マニュアル等）に準じて逆アセンブルするよう構成されうる。したがって、データパーサは、例えば文書の形式や業務規則に基づいて、又はユーザ入力によって、保守文書の種類を特定するようにも構成されうる。
【００３４】
第１と第２のデータ抽出器２０４ａ、２０４ｂは、第１と第２の保守文書のそれぞれの逆アセンブルされたページから、第１と第２のデータをそれぞれ抽出するよう構成されうる。各データ抽出器は、いくつかの異なる様態のうちの任意の様態で、対応する保守文書の逆アセンブルされたページからデータを抽出してよく、抽出されたデータは、いくつかの例では、保守文書又は保守文書の種類によって決まりうる。保守タスクを説明しているデータを有する構成タスクカード（文書コンポーネント）で構成された航空機のＴＣＭに関して言うと、データ抽出器は、各タスクカードから、タスク番号、保守作業、消耗用航空機部品などを抽出しうる。ＡＩＰＣに関しては、データ抽出器は、部品番号、国際航空運送協会（Ａｉｒ  Ｔｒａｎｓｐｏｒｔ  Ａｓｓｏｃｉａｔｉｏｎ：ＡＴＡ）コード、分量などを抽出しうる。
【００３５】
データ相関器２０６は、集約済データを生成するために、第１と第２の抽出器２０４ａ、２０４ｂによって上記のように抽出された第１と第２のデータを受信し、相関させるよう構成されうる。データ相関器は、いくつかの異なる様態のうちの任意の様態で、データを相関させる。いくつかの例では、それぞれ第１電子保守文書と第２電子保守文書の中にある第１データのアイテムと第２データのアイテムは、マークアップ言語形式（例えばＳＧＭＬ）のタグによってカプセル化される。上記の例では、データ相関器は、第１データと第２データとをリンクさせるために使用されうる共通タグの場合のようにタグに少なくとも部分的に基づいて、第１データのアイテムと第２データのアイテムとを相関させうる。いくつかの例では、一又は複数のタグは、マークアップ言語形式とは関係なく、データ自体、及び、そのデータと他のデータとの関係から推定されうる。上記の例では、データ相関器は、マークアップ言語形式とは無関係に、第１データのアイテム、及び、それらと第２データのアイテムとの関係を、認識しうる。
【００３６】
データ相関器２０６はストレージ１０６に連結されることがあり、ストレージ１０６は、データ相関器によって生成された集約済データを保存するよう構成されてよく、集約済データはストレージ１０６からクエリ可能である。集約済データは、いくつかの異なる様態のうちの任意の様態でフォーマットされ、保存されてよく、ゆえに、ストレージは、いくつかの異なる種類のうちの任意の種類のものでありうる。ストレージの適切な種類の例は、ファイルストレージ、データベースストレージ、クラウドストレージなどを含む。
【００３７】
保守データのソース（例えば保守文書）が２を上回る数の場合、データは同時に又は段階的に、抽出され、相関されうる。いくつかの例では、複数の文書（例えば第１と第２の保守文書）のデータが、集約済データを生成するために抽出され、相関されうる。次いで、その後の保守文書のデータが、更なる集約済データを生成するために抽出され、集約済データと相関されてよく、更なる集約済データは、ストレージ２０８内に保存されうる。このことは、文書のうちの１つに関するデータが、それ以外の２つの文書のデータを相関させるために必要とされる事例において、特に有用でありうる。この２つの文書は、そのようにしなければ相関不能でありうる。
【００３８】
図２Ｂに示すように、第３データパーサ２０２ｃは、製造された製品のための第３電子保守文書を受信し、逆アセンブルするよう構成されうる。第３データ抽出器２０４ｃは、逆アセンブルされた第３電子保守文書から第３データを抽出するよう構成されうる。データ相関器は、集約済データ及び第３データを含む更なる集約済データを生成するために、次いで、（ストレージ２０８内の）集約済データと、上記のように抽出された第３データとを相関させるよう構成されてよく、更なる集約済データは、次いでストレージ内に格納されうる。いくつかの例では、データ相関器は、第１データのアイテムと第３データのアイテムとを相関させ、それにより、第２データのアイテムと第３データのアイテムとを相関させうる。第３データのアイテムは、そのようにしなければ、第２データのアイテムと相関不能である。
【００３９】
データ相関器２０６の態様を更に示すために、図３Ａ、図３Ｂ、図４Ａ、及び図４Ｂを参照する。図３Ａと図３Ｂはそれぞれ、ＴＣＭのタスクカード３００の一部分３００と、それに対応するＳＧＭＬでマーキングされたデータ３０２とを示しており、図４Ａと図４Ｂはそれぞれ、ＡＩＰＣのあるページの一部分４００と、それに対応するＳＧＭＬでマーキングされたデータ４０２とを示している。図示しているように、タスクカードは、部品（ＦＩＬＴＥＲ）と、ＡＩＰＣ内のある場所（２１−ＡＡ−ＢＢ−ＣＣ）４０６におけるこの部品（ＤＤ）４０４の記載とを記述している、エントリ３０４を含みうる。同様に、このタスクカード及びＡＩＰＣに関するＳＧＭＬでマーキングされたデータは、部品及びＡＩＰＣ内での場所とを特定する、対応するＳＧＭＬタグ３０６、４０８を含みうる。上記の例では、データ相関器は、ＳＧＭＬタグに基づいて、又は、ＳＧＭＬタグとは関係なく、データおよびデータの関係を解釈することでなされうる推定に基づいて、ＴＣＭ内のデータのアイテムとＡＩＰＣとを相関させるよう構成されうる。
【００４０】
図１を再度参照するに、ストレージ１０６内に保存された集約済（又は更なる集約済）データは、概括的に、例えば抽出・集約・クエリシステム１００のクエリサブシステム１０４を通じて、クエリ可能でありうる。上記のように、クエリサブシステムは、概括的に、製造された製品に関するデータを求める検索クエリを受信するよう、かつ、集約済データからデータのアイテムを含む応答を生成するよう、構成されうる。より詳細には、いくつかの例では、クエリサブシステムは、検索クエリを受信し、集約済データにそれを実行するよう構成されうる。検索クエリの実行は、集約済データからの、第１データのアイテムと相関した第２データのアイテムとの読み出しを含みうる。クエリサブシステムは次いで、第１データのアイテム及び相関した第２データのアイテムを含む、検索クエリに対する応答を生成しうる。この応答は、スプレッドシート又は他の適切な様態で提供されうる表などの、いくつかの形式のうちの任意の形式で生成されうる。クエリサブシステムは、理解されるように、検索エンジンやデータベース管理システムなどといった、いくつかの異なる様態で実装されうる。
【００４１】
第１保守文書がＴＣＭであり、第２保守文書がＡＩＰＣであるいくつかの例では、抽出・集約・クエリシステム１００のクエリサブシステム１０４は、タスクカードマニュアルからタスクカードを求める、検索クエリを受信しうる。クエリサブシステムは、第１データのタスクカードの適用対象である保守タスクについての説明と、第２データの保守タスクのための部品リストとを読み出すことを含め、集約済データに検索クエリを実行しうる。また、クエリサブシステムは、保守タスクについての説明と、保守タスクのための部品リストとを含む、検索クエリに対する応答を生成しうる。
【００４２】
図５は、ＴＣＭ及びＡＩＰＣからの集約済データに関連してクエリサブシステム１０４によって提供されうる、グラフィカルユーザインターフェース（ＧＵＩ）５００を示している。図５に示すように、クエリサブシステムは、ユーザが、（ＴＣＭの）関連タスクカードに対応する部品及びオプション部品を（ＡＩＰＣから）検索することを、可能にしうる。クエリサブシステムは、所望のタスクカードについてのＴＣＭのデータのアイテム、及び、相関した、ＡＩＰＣの部品及びオプション部品についてのデータのアイテムを読み出し、かつ、検索クエリに対する応答を生成しうる。図６は、（ＴＣＭの）タスクカードによって説明される保守タスク（複数可）についてのデータと、（ＡＩＰＣ）のタスク（複数可）によって影響を受ける部品についてのデータとを含む所望のタスクカードの集約済データを含む、ＧＩＵ６００を示している。
【００４３】
本開示の例示的な実行形態を更に示すために、いくつかのより具体的な実行形態では、航空会社が自社航空機の保守のために必要とする最重要保守文書は、共通のＳＧＭＬ形式とされうる。データ収集サブシステム１０２は、各保守文書からＳＧＭＬでマーキングされたデータを取り込み、共通ストレージ１０６内にそれらを集約しうる。これにより、保守文書全体のデータの単バッチ検索が可能になりうる。例えば、航空会社は、特定の航空機に対する保守チェックで実施されるべきタスクのリストをスプレッドシート上に作成し、かつ、これらのタスクに必要な全ての消耗材についての報告を要求しうる。このスプレッドシートリストがクエリサブシステム１０４に入力されてよく、クエリサブシステム１０４は、検索を行って、ストレージに基づいて上記のタスクの各々のための部品についての説明を返答し、かつ、適切な報告をまとめて、返答しうる。
【００４４】
図７Ａ及び図７Ｂは、本開示のいくつかの例示的な実行形態による方法７００における様々なステップを示すフロー図である。ブロック７０２に示すように、方法は、製造された製品に関する第１データを含む、製造された製品のための第１電子文書（例えば第１電子保守文書）を受信することを含みうる。方法は、ブロック７０４に示すように、第１電子文書から第１データを抽出することを含みうる。また、方法は、ブロック７０６、７０８に示すように、第１データ及び第２データを含む集約済データを生成するために、上記のように抽出された第１データと製造された製品に関する第２データとを相関させることと、集約済データを、ストレージであって、そこから集約済データがクエリ可能なストレージ内に保存することとを含みうる。
【００４５】
ここで特に図７Ｂを参照するに、いくつかの例では、方法は、ブロック７１０に示すように、検索クエリを受信することを更に含みうる。方法は、ブロック７１２に示すように、集約済データから第１データのアイテムと、相関した第２データのアイテムとを読み出すことを含む、検索クエリを実行することを含みうる。また方法は、ブロック７１４に示すように、第１データのアイテム及び相関した第２データのアイテムを含む、検索クエリに対する応答を生成することを含みうる。
【００４６】
本開示の例示的な実行形態による、データ収集サブシステムとクエリサブシステム１０２、１０４及び／又はストレージ１０６を含む、統合型のデータ抽出・集約・クエリシステム１００及びそのサブシステムは、様々な手段によって実装されうる。システム及びそのサブシステムを実装するための手段は、単独の、又は、コンピュータ可読記憶媒体からの一又は複数のコンピュータプログラムの命令に従う、ハードウェアを含みうる。いくつかの例では、一又は複数の装置が、本書で図示され説明されているシステム及びそのサブシステムとして機能するか、そうでなければそれらを実装するよう構成されうる。１を上回る数の装置を伴う例では、それぞれの装置は、例えば直接的に、或いは、有線で又は無線ネットワークを介して間接的になど、いくつかの異なる様態で、互いに接続されうるか、そうでなければ通信可能でありうる。
【００４７】
図８は、本開示のいくつかの例示的な実行形態による装置８００を示している。概括的に、本開示の例示的な実行形態の装置は、一又は複数の固定的な又は携帯式の電子デバイスを備えるか、かかる電子デバイスを含むか、或いは、かかる電子デバイスにおいて具現化されうる。適切な電子デバイスの例は、スマートフォン、タブレットコンピュータ、ラップトップコンピュータ、デスクトップコンピュータ、ワークステーションコンピュータ、サーバコンピュータなどを含む。装置は、例えば、メモリ８０４（例えば記憶デバイス）に接続されたプロセッサ８０２（例えばプロセッサユニット）といった、いくつかの構成要素の各々の一又は複数を、含みうる。
【００４８】
プロセッサ８０２は、概括的に、例えば、データ、コンピュータプログラム、及び／又は他の適切な電子情報などの情報を処理することが可能な、任意のコンピュータハードウェアである。プロセッサは、電子回路の集合体で構成され、かかる電子回路の一部は、一集積回路又は複数の相互接続集積回路としてパッケージされうる（集積回路はより一般的には「チップ」と称されることがある）。プロセッサは、コンピュータプログラムを実行するよう設定されてよく、コンピュータプログラムは、プロセッサに搭載された状態で保存されうるか、そうでなければ（同じ又は別の装置の）メモリ８０４に保存されうる。
【００４９】
プロセッサ８０２は、特定の実行形態に応じて、いくつかのプロセッサ、一マルチプロセッサコア、又は他の何らかの種類のプロセッサでありうる。更に、プロセッサは、単一のチップ上に一又は複数の二次プロセッサと共に主要プロセッサが存在する、いくつかのヘテロジニアスプロセッサシステムを使用して、実装されうる。別の具体例としては、プロセッサは、同じ種類の複数のプロセッサを包含する対称型マルチプロセッサシステムでありうる。さらに別の例では、プロセッサは、一又は複数のＡＳＩＣやＦＰＧＡなどとして具現化されうるか、そうでなければ、それらを含みうる。ゆえに、プロセッサは一又は複数の機能を実施するためのコンピュータプログラムを実行することが可能でありうるが、プロセッサの様々な例は、コンピュータプログラムの支援がなくとも、一又は複数の機能を実施することが可能でありうる。
【００５０】
メモリ８０４は概して、一時的及び／又は恒久的に、例えば、データ、コンピュータプログラム（例えばコンピュータ可読プログラムコード８０６）、及び／又は、他の適切な情報といった情報を保存することが可能な、任意のコンピュータハードウェアである。メモリは、揮発性及び／又は不揮発性のメモリを含んでよく、かつ、固定的又は取り外し可能でありうる。適切なメモリの例は、ランダムアクセスメモリ（ＲＡＭ）、読み出し専用メモリ（ＲＯＭ）、ハードドライブ、フラッシュメモリ、サムドライブ、取り外し可能コンピュータディスケット、光ディスク、磁気テープ、又はそれらの何らかの組み合わせを含む。光ディスクは、コンパクトディスク（読み出し専用メモリ（ＣＤ−ＲＯＭ）、コンパクトディスク）、読み出し／書き込み（ＣＤ−Ｒ／Ｗ）、ＤＶＤなどを含みうる。様々な事例において、メモリはコンピュータ可読記憶媒体と称されうる。コンピュータ可読記憶媒体は、情報を保存することが可能な非一過性デバイスであり、ある場所から別の場所へと情報を運ぶことが可能な一過性の電気信号などのコンピュータ可読伝送媒体とは区別可能である。本書で説明されているコンピュータ可読媒体とは、概括的に、コンピュータ可読記憶媒体又はコンピュータ可読伝送媒体を表しうる。
【００５１】
メモリ８０４に加えてプロセッサ８０２も、情報を表示し、送信し、かつ／又は受信するための一又は複数のインターフェースに接続されうる。インターフェースは、通信インターフェース８０８（例えば通信ユニット）、及び／又は一又は複数のユーザインターフェースを含みうる。通信インターフェースは、例えば他の装置（複数可）やネットワーク（複数可）などへ、及び／又はそれらから、情報を送信及び／又は受信するよう設定されうる。通信インターフェースは、物理的な（有線の）及び／又は無線の通信リンクにより情報を送信及び／又は受信するよう、構成されうる。適切な通信インターフェースの例は、ネットワークインターフェースコントローラ（ＮＩＣ）や無線ＮＩＣ（ＷＮＩＣ）などを含む。
【００５２】
ユーザインターフェースは、ディスプレイ８１０及び／又は一又は複数のユーザ入力インターフェース８１２（例えば入出力ユニット）を含みうる。ディスプレイは、ユーザに情報を提示するか、又は他の方法で表示するよう設定されてよく、その適切な例は、液晶ディスプレイ（ＬＣＤ）、発光ダイオードディスプレイ（ＬＥＤ）、プラズマディスプレイパネル（ＰＤＰ）などを含む。ユーザ入力インターフェースは、有線又は無線であってよく、処理、保存及び／又は表示用などの装置内にユーザから情報を受信するよう構成されうる。ユーザ入力インターフェースの適切な例は、マイク、画像又は動画の捕捉デバイス、キーボード又はキーパッド、ジョイスティック、タッチ感応型サーフェス（タッチスクリーンとは別個の、又はタッチスクリーンに統合されたもの）、生体認証センサーなどを含む。ユーザインターフェースは、プリンタやスキャナなどの周辺機器と通信するための、一又は複数のインターフェースをさらに含みうる。
【００５３】
上記のように、プログラムコード指令は、本書で説明されているシステム、サブシステム、ツール、及びそれらに対応する要素の機能を実装するために、メモリに保存され、プロセッサによって実行されうる。任意の適切なプログラムコード指令は、理解されるように、特定の機械を作製するために、コンピュータ可読記憶媒体からコンピュータ又は他のプログラマブル装置に読み込まれてよく、そのため、その特定の機械が、本書で特定される機能を実装するための手段となる。これらのプログラムコード指令は、コンピュータ、プロセッサ、又はその他のプログラマブル装置に特定の方法で機能するよう命令して、それにより、特定の機械又は特定の製造物品を生み出すことが可能になるように、コンピュータ可読記憶媒体にも保存されうる。コンピュータ可読記憶媒体に保存された指令は、製造物品を生産可能であり、この製造物品が、本書に記載の機能を実装するための手段となる。プログラムコード指令は、コンピュータ、コンピュータ、プロセッサ又は他のプログラマブル装置上で、又はそれらによって実施されるべき動作を実行するよう、コンピュータ、プロセッサ又は他のプログラマブル装置を設定するために、コンピュータ可読記憶媒体から読み出され、かつ、コンピュータ、プロセッサ又は他のプログラマブル装置に読み込まれうる。
【００５４】
一度に１つの指令が読み出され、読み込まれ、かつ実行されるように、プログラムコード指令の読み出し、読み込み及び実行は、連続的に実施されうる。いくつかの例示的な実行形態では、複数の指令をまとめて読み出し、読み込み、かつ／又は実行するように、読み出し、読み込み、及び／又は実行が、並行して実施されうる。コンピュータ、プロセッサ、又は他のプログラマブル装置によって実行される指令が、本書で説明されている機能を実装するための動作をもたらすように、プログラムコード指令の実行により、コンピュータ実装プロセスが生成されうる。
【００５５】
プロセッサによる指令の実行、又は、コンピュータ可読記憶媒体における指令の保存により、特定の機能を実施するための動作の組み合わせがサポートされる。この様態では装置８００は、プロセッサ８０２と、プロセッサに連結されたコンピュータ可読記憶媒体又はメモリ８０４とを含んでよく、プロセッサは、メモリに保存されたコンピュータ可読プログラムコード８０６を実行するよう設定される。一又は複数の機能及び機能の組み合わせは、特殊用途ハードウェアに基づくコンピュータシステム、及び／又は、特定の機能を実施するプロセッサ、或いは、特殊用途ハードウェアとプログラムコード指令との組み合わせによって実装されうることも、理解されよう。
【００５６】
更に、本開示は下記の条項による実施形態を含む。
【００５７】
条項１．プロセッサと、実行可能指令を保存しているメモリとを備える装置であって、この実行可能指令が、プロセッサによる実行に応じて、装置に、少なくとも、
製造された製品に関する第１データを含む、製造された製品のための第１電子文書を受信することと、
第１電子文書から第１データを抽出することと、
第１データ及び第２データを含む集約済データを生成するために、上記のように抽出された第１データと製造された製品に関する第２データとを相関させることと、
集約済データを、ストレージであって、そこから集約済データがクエリ可能なストレージ内に保存することとを、実行させる装置。
【００５８】
条項２．メモリは更なる実行可能指令を保存し、この更なる実行可能指令が、プロセッサによる実行に応じて、装置に、少なくとも、
第２データを含む、製造された製品のための第２電子文書を受信することと、
第２電子文書から第２データを抽出することとを、更に実行させ、
第１データと第２データとが相関される前に、第２電子文書は受信され、かつ第２データは抽出される、条項１に記載の装置。
【００５９】
条項３．メモリは更なる実行可能指令を保存し、この更なる実行可能指令が、プロセッサによる実行に応じて、装置に、少なくとも、
製造された製品に関する第３データを含む、製造された製品のための第３電子文書を受信することと、
第３電子文書から第３データを抽出することと、
集約済データ及び第３データを含む更なる集約済データを生成するために、集約済データと上記のように抽出された第３データとを相関させることと、
更なる集約済データを、ストレージであって、そこから更なる集約済データがクエリ可能なストレージ内に保存することとを、更に実行させる、条項１又は２に記載の装置。
【００６０】
条項４．装置に、第１データと第２データとを相関させることを実行させることは、第１データのアイテムと第２データのアイテムとを相関させることを実行させることを含み、
装置に、集約済データと第３データとを相関させることを実行させることは、第１データのアイテムと第３データのアイテムとを相関させ、それにより、第２データのアイテムと第３データのアイテムとを相関させることを、実行させることを含み、第３データのアイテムは、そのようにしなければ、第２データのアイテムと相関不能である、条項３に記載の装置。
【００６１】
条項５．第１データ及び第２データはマークアップ言語形式であり、第１データのアイテム及び第２データのアイテムは、マークアップ言語形式のタグによってカプセル化され、
装置に、第１データと第２データとを相関させることを実行させることは、少なくとも部分的にタグに基づいて、第１データのアイテムと第２データのアイテムとを相関させることを実行させることを含む、条項１から４のいずれか１つに記載の装置。
【００６２】
条項６．第１データはマークアップ言語形式であり、装置に、第１データと第２データとを相関させることを実行させることは、マークアップ言語形式とは無関係に、第１データのアイテム、及びそれらと第２データのアイテムとの関係を認識することを実行させることを含む、条項１から５のいずれか１つに記載の装置。
【００６３】
条項７．メモリは更なる実行可能指令を保存し、この更なる実行可能指令が、プロセッサによる実行に応じて、装置に、少なくとも、
検索クエリを受信することと、
第１データのアイテム及び相関した第２データのアイテムを読み出すことを含む、集約済データに検索クエリを実行することと、
第１データのアイテム及び相関した第２データのアイテムを含む、検索クエリに対する応答を生成することとを、更に実行させる、条項１から５のいずれか１つに記載の装置。
【００６４】
条項８．第１電子保守文書は、製造された製品の部品に対する又はかかる部品を使用する保守タスクについての説明を含む第１データを有する、タスクカードマニュアルであり、第２電子保守文書は、製造された製品の部品についての説明を含む第２データを有する、図解部品カタログであり、
メモリは更なる実行可能指令を保存し、この更なる実行可能指令が、プロセッサによる実行に応じて、装置に、少なくとも、
タスクカードマニュアルからタスクカードを求める、検索クエリを受信することと、
第１データのタスクカードの適用対象である保守タスクについての説明と、第２データの保守タスクのための部品リストとを読み出すことを含む、集約済データに検索クエリを実行することと、
保守タスクについての説明と、保守タスクのための部品リストとを含む、検索クエリに対する応答を生成することとを、更に実行させる、条項１から７のいずれか１つに記載の装置。
【００６５】
条項９．
製造された製品に関する第１データを含む、製造された製品のための第１電子文書を受信することと、
第１電子文書から第１データを抽出することと、
第１データ及び第２データを含む集約済データを生成するために、上記のように抽出された第１データと製造された製品に関する第２データとを相関させることと、
集約済データを、ストレージであって、そこから集約済データがクエリ可能なストレージ内に保存することとを含む、方法。
【００６６】
条項１０．
第２データを含む、製造された製品のための第２電子文書を受信することと、
第２電子文書から第２データを抽出することとを、更に含み、
第１データと第２データとが相関される前に、第２電子文書は受信され、かつ第２データは抽出される、条項９に記載の方法。
【００６７】
条項１１．
製造された製品に関する第３データを含む、製造された製品のための第３電子文書を受信することと、
第３電子文書から第３データを抽出することと、
集約済データ及び第３データを含む更なる集約済データを生成するために、集約済データと上記のように抽出された第３データとを相関させることと、
更なる集約済データを、ストレージであって、そこから更なる集約済データがクエリ可能なストレージ内に保存することとを更に含む、条項９又は１０に記載の方法。
【００６８】
条項１２．第１データと第２データとを相関させることは、第１データのアイテムと第２データのアイテムとを相関させることを含み、
集約済データと第３データとを相関させることは、第１データのアイテムと第３データのアイテムとを相関させ、それにより、第２データのアイテムと第３データのアイテムとを相関させることを含み、第３データのアイテムは、そのようにしなければ、第２データのアイテムと相関不能である、条項１１に記載の方法。
【００６９】
条項１３．第１データ及び第２データはマークアップ言語形式であり、第１データのアイテム及び第２データのアイテムは、マークアップ言語形式のタグによってカプセル化され、
第１データと第２データとを相関させることは、少なくとも部分的にタグに基づいて第１データのアイテムと第２データのアイテムとを相関させることを含む、条項９から１２のいずれか１つに記載の方法。
【００７０】
条項１４．第１データはマークアップ言語形式であり、第１データと第２データとを相関させることは、マークアップ言語形式とは無関係に、第１データのアイテム、及びそれらと第２データのアイテムとの関係を認識することを含む、条項９から１３のいずれか１つに記載の方法。
【００７１】
条項１５．
検索クエリを受信することと、
第１データのアイテム及び相関した第２データのアイテムを読み出すことを含む、集約済データに検索クエリを実行することと、
第１データのアイテム及び相関した第２データのアイテムを含む、検索クエリに対する応答を生成することとを更に含む、条項９から１４のいずれか１つに記載の方法。
【００７２】
条項１６．  第１電子保守文書は、製造された製品の部品に対する又はかかる部品を使用する保守タスクについての説明を含む第１データを有する、タスクカードマニュアルであり、第２電子保守文書は、製造された製品の部品についての説明を含む第２データを有する、図解部品カタログであり、
前記方法であって、
タスクカードマニュアルからタスクカードを求める、検索クエリを受信することと、
第１データのタスクカードの適用対象である保守タスクについての説明と、第２データの保守タスクのための部品リストとを読み出すことを含む、集約済データに検索クエリを実行することと、
保守タスクについての説明と、保守タスクのための部品リストとを含む、検索クエリに対する応答を生成することとを更に含む、条項９から１４のいずれか１つに記載の方法。
【００７３】
条項１７．非一過性であり、かつ、コンピュータ可読プログラムコード部分が保存されているコンピュータ可読記憶媒体であって、このコンピュータ可読プログラムコード部分が、プロセッサによる実行に応じて、装置に、少なくとも
製造された製品に関する第１データを含む、製造された製品のための第１電子文書を受信することと、
第１電子文書から第１データを抽出することと、
第１データ及び第２データを含む集約済データを生成するために、上記のように抽出された第１データと製造された製品に関する第２データとを相関させることと、
集約済データを、ストレージであって、そこから集約済データがクエリ可能なストレージ内に保存することとを、実行させる、コンピュータ可読記憶媒体。
【００７４】
条項１８  更なるコンピュータ可読プログラムコード部分が保存されており、このコンピュータ可読プログラムコード部分が、プロセッサによる実行に応じて、装置に、少なくとも、
製造された製品に関する第２データを含む、製造された製品のための第２電子文書を受信することと、
第２電子文書から第２データを抽出することとを、更に実行させ、
第１データと第２データとが相関される前に、第２電子文書は受信され、かつ第２データは抽出される、条項１７に記載のコンピュータ可読記憶媒体。
【００７５】
条項１９．更なるコンピュータ可読プログラムコード部分が保存されており、このコンピュータ可読プログラムコード部分が、プロセッサによる実行に応じて、装置に、少なくとも、
製造された製品に関する第３データを含む、製造された製品のための第３電子文書を受信することと、
第３電子文書から第３データを抽出することと、
集約済データ及び第３データを含む更なる集約済データを生成するために、集約済データと上記のように抽出された第３データとを相関させることと、
更なる集約済データを、ストレージであって、そこから更なる集約済データがクエリ可能なストレージ内に保存することとを、更に実行させる、条項１７又は１８に記載のコンピュータ可読記憶媒体。
【００７６】
条項２０．装置に、第１データと第２データとを相関させることを実行させることは、第１データのアイテムと第２データのアイテムとを相関させることを実行させることを含み、
装置に、集約済データと第３データとを相関させることを実行させることは、第１データのアイテムと第３データのアイテムとを相関させ、それにより、第２データのアイテムと第３データのアイテムとを相関させることを、実行させることを含み、第３データのアイテムは、そのようにしなければ、第２データのアイテムと相関不能である、条項１９に記載のコンピュータ可読記憶媒体。
【００７７】
条項２１．第１データ及び第２データはマークアップ言語形式であり、第１データのアイテム及び第２データのアイテムは、マークアップ言語形式のタグによってカプセル化され、
装置に、第１データと第２データとを相関させることを実行させることは、少なくとも部分的にタグに基づいて、第１データのアイテムと第２データのアイテムとを相関させることを実行させることを含む、条項１７から２０のいずれか１つに記載のコンピュータ可読記憶媒体。
【００７８】
条項２２．第１データはマークアップ言語形式であり、装置に、第１データと第２データとを相関させることを実行させることは、マークアップ言語形式とは無関係に、第１データのアイテム、及びそれらと第２データのアイテムとの関係を認識することを実行させることを含む、条項１７から２１のいずれか１つに記載のコンピュータ可読記憶媒体。
【００７９】
条項２３．更なるコンピュータ可読プログラムコード部分が保存されており、このコンピュータ可読プログラムコード部分が、プロセッサによる実行に応じて、装置に、少なくとも、
検索クエリを受信することと、
第１データのアイテム及び相関した第２データのアイテムを読み出すことを含む、集約済データに検索クエリを実行することと、
第１データのアイテム及び相関した第２データのアイテムを含む、検索クエリに対する応答を生成することとを、更に実行させる、条項１７から２２のいずれか１つに記載のコンピュータ可読記憶媒体。
【００８０】
条項２４．第１電子保守文書は、製造された製品の部品に対する又はかかる部品を使用する保守タスクについての説明を含む第１データを有する、タスクカードマニュアルであり、第２電子保守文書は、製造された製品の部品についての説明を含む第２データを有する、図解部品カタログである、コンピュータ可読記憶媒体であって、
更なるコンピュータ可読プログラムコード部分が保存されており、このコンピュータ可読プログラムコード部分が、プロセッサによる実行に応じて、装置に、少なくとも、
タスクカードマニュアルからタスクカードを求める、検索クエリを受信することと、
第１データのタスクカードの適用対象である保守タスクについての説明と、第２データの保守タスクのための部品リストとを読み出すことを含む、集約済データに検索クエリを実行することと、
保守タスクについての説明と、保守タスクのための部品リストとを含む、検索クエリに対する応答を生成することとを、更に実行させる、条項１７から２２のいずれか１つに記載のコンピュータ可読記憶媒体。
【００８１】
上述の説明及び添付図面において提示されている教示の恩恵を受ける、本開示に関連する当業者には、本書に明記された本開示の多数の修正例及びその他の実行形態が想起されよう。したがって、本開示は開示されている特定の実行形態に限定されるものではないこと、及び、変形例及びその他の実行形態も付随する特許請求の範囲に含まれるよう意図されていることを、理解されたい。さらに、上述の説明及び添付図面は、要素及び／又は機能の特定の例示的な組み合わせに照らして例示的な実行形態を説明しているが、付随する特許請求の範囲から逸脱せずに、代替的な実行形態によって、要素及び／又は機能の様々な組み合わせが提供されうることを、理解すべきである。つまり、付随する特許請求の範囲の一部に明記されうるように、例えば、明示的に上述されているものとは異なる要素及び／又は機能の組み合わせも想定される。本書では特定の用語が用いられているが、それらは、一般的な、及び説明的な意味でのみ使用されており、限定を目的とするものではない。
【図１】
2017208069.tif 000003
【図２Ａ】
2017208069.tif 000004
【図２Ｂ】
2017208069.tif 000005
【図３Ａ】
2017208069.tif 000006
【図３Ｂ】
2017208069.tif 000007
【図４Ａ】
2017208069.tif 000008
【図４Ｂ】
2017208069.tif 000009
【図５】
2017208069.tif 000010
【図６】
2017208069.tif 000011
【図７Ａ】
2017208069.tif 000012
【図７Ｂ】
2017208069.tif 000013
【図８】
2017208069.tif 000014
【外国語明細書】
2017208069000001.pdf
2017208069000002.pdf
2017208069000003.pdf
2017208069000004.pdf